(57)【特許請求の範囲】
【請求項１】
マイクにより電気信号に変換されたＬチャンネルとＲチャンネルのアナログオーディオ信号を受け、所定の信号処理を施すオーディオ信号処理回路であって、
前記Ｌチャンネル、Ｒチャンネルのアナログオーディオ信号をそれぞれ、デジタルオーディオ信号に変換するＡ／Ｄコンバータと、
前記Ｌチャンネル、Ｒチャンネルのデジタルオーディオ信号それぞれに、調節可能な利得を乗ずるボリウム回路と、
前記Ｌチャンネル、Ｒチャンネルのデジタルオーディオ信号それぞれのピーク値を検出するピーク検出回路と、
前記Ｌチャンネル、Ｒチャンネルのデジタルオーディオ信号それぞれをフィルタリングするフィルタと、
前記ボリウム回路を経たＬチャンネルとＲチャンネルのデジタルオーディオ信号を受け、所定のフォーマットにエンコードするエンコーダと、
オーディオ信号処理回路を制御する制御部と、
を備え、
前記ピーク検出回路、前記ボリウム回路、前記フィルタは、それぞれのアクティブ、非アクティブ状態、および演算処理の順序が、前記制御部により制御可能に構成され、
前記制御部は、
キャリブレーションモードにおいて、（１）前記ピーク検出回路および前記フィルタをアクティブ状態、前記ボリウム回路を非アクティブ状態とし、前記Ａ／Ｄコンバータ、前記フィルタ、前記ピーク検出回路を順に直列に接続し、前記マイクに所定の音量のオーディオ信号を入力した状態で、前記ＬチャンネルおよびＲチャンネルのデジタルオーディオ信号のピーク値を取得し、（２）Ｌチャンネルのピーク値と所定の基準値との差分に応じて、通常モードにおいて前記ボリウム回路に設定すべきＬチャンネルの利得を計算し、Ｒチャンネルのピーク値と前記基準値との差分に応じて、通常モードにおいて前記ボリウム回路に設定すべきＲチャンネルの利得を計算し、
通常モードにおいて、（３）前記ボリウム回路をアクティブ状態、前記ピーク検出回路および前記フィルタを非アクティブ状態とし、前記Ａ／Ｄコンバータの後段に前記ボリウム回路を接続することを特徴とするオーディオ信号処理回路。
【請求項２】
マイクにより電気信号に変換されたＬチャンネルとＲチャンネルのアナログオーディオ信号を受け、所定の信号処理を施すオーディオ信号処理回路であって、
前記Ｌチャンネル、Ｒチャンネルのアナログオーディオ信号をそれぞれ、デジタルオーディオ信号に変換するＡ／Ｄコンバータと、
前記Ｌチャンネル、Ｒチャンネルのデジタルオーディオ信号それぞれに、調節可能な利得を乗ずるボリウム回路と、
前記Ｌチャンネル、Ｒチャンネルのデジタルオーディオ信号それぞれのピーク値を検出するピーク検出回路と、
前記Ｌチャンネル、Ｒチャンネルのデジタルオーディオ信号それぞれをフィルタリングするフィルタと、
前記ボリウム回路を経たＬチャンネルとＲチャンネルのデジタルオーディオ信号を受け、所定のフォーマットにエンコードするエンコーダと、
本オーディオ信号処理回路を制御する制御部と、
を備え、
前記ピーク検出回路、前記ボリウム回路、前記フィルタは、それぞれのアクティブ、非アクティブ状態、および演算処理の順序が、前記制御部により制御可能に構成され、
前記制御部は、
キャリブレーションモードにおいて、（１）前記ピーク検出回路および前記フィルタをアクティブ状態、前記ボリウム回路を非アクティブ状態とし、前記Ａ／Ｄコンバータ、前記フィルタ、前記ピーク検出回路を順に直列に接続し、前記マイクに所定の音量のオーディオ信号を入力した状態で、前記ＬチャンネルおよびＲチャンネルのデジタルオーディオ信号のピーク値を取得し、（２）Ｌチャンネルのピーク値とＲチャンネルのピーク値の差分に応じて、通常モードにおいて前記ボリウム回路に設定すべきＬチャンネルおよびＲチャンネルそれぞれの利得を計算し、
通常モードにおいて、（３）前記ボリウム回路をアクティブ状態、前記ピーク検出回路および前記フィルタを非アクティブ状態とし、前記Ａ／Ｄコンバータの後段に前記ボリウム回路を接続することを特徴とするオーディオ信号処理回路。
【請求項３】
前記制御部は、キャリブレーションモードにおいて、前記フィルタの通過周波数を、前記マイクに入力するオーディオ信号の周波数と一致させることを特徴とする請求項１または２に記載のオーディオ信号処理回路。
【請求項４】
Ｌチャンネルのマイクと、
Ｒチャンネルのマイクと、
前記Ｌチャンネル、Ｒチャンネルのマイクからのアナログオーディオ信号を受ける請求項１から３のいずれかに記載のオーディオ信号処理回路と、
前記オーディオ信号処理回路を制御するマイコンと、
を備えることを特徴とする電子機器。
【発明の詳細な説明】
【技術分野】
【０００１】
本発明は、電子機器に録音機能を提供するオーディオ信号処理回路に関する。
【背景技術】
【０００２】
近年、さまざまな電子機器に、音声、環境音、音楽など（以下、これらを総称して単に音声という）を録音する機能が実装されている。こうした電子機器では、マイクから入力されたオーディオ信号を、所定のフォーマットで圧縮符号化し、これを記憶手段に格納する。再生時には、記憶手段からオーディオデータを読み出し、それをデコードして再生する。この機能を実現するために、マイクからのオーディオ信号を処理するオーディオ信号処理回路（ＣＯＤＥＣ回路とも称される）が使用される。
【０００３】
オーディオ信号を高い臨場感で録音するために、ＬチャンネルとＲチャンネルを有するステレオマイクが使用される。ここでステレオマイクのＬチャンネルとＲチャンネルの感度が異なると、むしろ臨場感がそこなわれ音質が悪化する。かかる事情から従来では、感度のばらつきが小さなマイクを搭載する必要があったが、こうしたばらつきの小さなマイクは高価である。
【先行技術文献】
【特許文献】
【０００４】
【特許文献１】特開２０１０−２７３０６２号公報
【発明の概要】
【発明が解決しようとする課題】
【０００５】
本発明はこうした課題に鑑みてなされたものであり、そのある態様の例示的な目的のひとつは、高音質なステレオ録音が可能なオーディオ信号処理回路の提供にある。
【課題を解決するための手段】
【０００６】
本発明のある態様は、マイクにより電気信号に変換されたＬチャンネルとＲチャンネルのアナログオーディオ信号を受け、所定の信号処理を施すオーディオ信号処理回路に関する。オーディオ信号処理回路は、Ｌチャンネル、Ｒチャンネルのアナログオーディオ信号をそれぞれ、デジタルオーディオ信号に変換するＡ／Ｄコンバータと、Ｌチャンネル、Ｒチャンネルのデジタルオーディオ信号それぞれに、調節可能な利得を乗ずるボリウム回路と、Ｌチャンネル、Ｒチャンネルのデジタルオーディオ信号それぞれのピーク値を検出するピーク検出回路と、ボリウム回路を経たＬチャンネルとＲチャンネルのデジタルオーディオ信号を受け、所定のフォーマットにエンコードするエンコーダと、本オーディオ信号処理回路を制御する制御部と、を備える。制御部は、キャリブレーションモードにおいて、（１）ピーク検出回路をアクティブとし、マイクに所定の音量のオーディオ信号を入力した状態でＬチャンネルおよびＲチャンネルのデジタルオーディオ信号のピーク値を取得し、（２）Ｌチャンネルのピーク値と所定の基準値との差分に応じて、通常モードにおいてボリウム回路に設定すべきＬチャンネルの利得を計算し、Ｒチャンネルのピーク値と基準値との差分に応じて、通常モードにおいてボリウム回路に設定すべきＲチャンネルの利得を計算可能に構成される。
【０００７】
この態様によると、オーディオ信号処理回路によって、ＬチャンネルとＲチャンネルのマイクの感度のばらつきを測定し、補正することができる。これにより、通常使用時において、高音質な録音が可能となる。
【０００８】
本発明の別の態様もまた、オーディオ信号処理回路である。このオーディオ信号処理回路は、Ｌチャンネル、Ｒチャンネルのアナログオーディオ信号をそれぞれ、デジタルオーディオ信号に変換するＡ／Ｄコンバータと、Ｌチャンネル、Ｒチャンネルのデジタルオーディオ信号それぞれに、調節可能な利得を乗ずるボリウム回路と、Ｌチャンネル、Ｒチャンネルのデジタルオーディオ信号それぞれのピーク値を検出するピーク検出回路と、ボリウム回路を経たＬチャンネルとＲチャンネルのデジタルオーディオ信号を受け、所定のフォーマットにエンコードするエンコーダと、本オーディオ信号処理回路を制御する制御部と、を備える。制御部は、キャリブレーションモードにおいて、（１）ピーク検出回路をアクティブとし、マイクに所定の音量のオーディオ信号を入力した状態で、ＬチャンネルおよびＲチャンネルのデジタルオーディオ信号のピーク値を取得し、（２）Ｌチャンネルのピーク値とＲチャンネルのピーク値の差分に応じて、通常モードにおいてボリウム回路に設定すべきＬチャンネルおよびＲチャンネルそれぞれの利得を計算可能に構成される。
【０００９】
この態様によると、同相ノイズの影響を除去しつつ、ＬチャンネルとＲチャンネルのマイクの感度のばらつきを測定し、補正することができる。
【００１０】
ある態様のオーディオ信号処理回路は、Ｌチャンネル、Ｒチャンネルのデジタルオーディオ信号それぞれをフィルタリングするフィルタをさらに備えてもよい。制御部は、キャリブレーションモードにおいて、フィルタをピーク検出回路の前段に挿入してアクティブとし、かつフィルタの通過周波数を、マイクに入力するオーディオ信号の周波数と一致させてもよい。
【００１１】
本発明の別の態様は、電子機器に関する。電子機器は、Ｌチャンネルのマイクと、Ｒチャンネルのマイクと、Ｌチャンネル、Ｒチャンネルのマイクからのアナログオーディオ信号を受ける上述のいずれかのオーディオ信号処理回路と、オーディオ信号処理回路を制御するマイコンと、を備える。
【００１２】
なお、以上の構成要素の任意の組合せや、本発明の構成要素や表現を、方法、装置、システムなどの間で相互に置換したものもまた、本発明の態様として有効である。
【発明の効果】
【００１３】
本発明によれば、高音質なステレオ録音が可能となる。
【図面の簡単な説明】
【００１４】
【図１】実施の形態に係るオーディオ信号処理回路を備える電子機器の構成を示すブロック図である。
【図２】キャリブレーションモードにおけるオーディオ信号処理回路の構成を示すブロック図である。
【図３】キャリブレーションモードにおけるオーディオ信号処理回路の別の構成を示すブロック図である。
【発明を実施するための形態】
【００１５】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１６】
本明細書において、「部材Ａが部材Ｂと接続された状態」とは、部材Ａと部材Ｂが物理的に直接的に接続される場合や、部材Ａと部材Ｂが、電気的な接続状態に影響を及ぼさない他の部材を介して間接的に接続される場合も含む。
同様に、「部材Ｃが、部材Ａと部材Ｂの間に設けられた状態」とは、部材Ａと部材Ｃ、あるいは部材Ｂと部材Ｃが直接的に接続される場合のほか、電気的な接続状態に影響を及ぼさない他の部材を介して間接的に接続される場合も含む。
【００１７】
図１は、実施の形態に係るオーディオ信号処理回路１００を備える電子機器１の構成を示すブロック図である。
【００１８】
電子機器１は、デジタルカメラ、携帯電話端末、ＰＤＡ（Personal Digital Assistant）、ビデオレコーダ、ボイスレコーダをはじめとする、オーディオ信号の録音・再生機能を備えるデバイスである。
【００１９】
電子機器１は、ＬチャンネルおよびＲチャンネルのマイク２Ｌ、２Ｒ、スピーカ４、マイコン６およびオーディオ信号処理回路１００を備える。
【００２０】
Ｌチャンネル、Ｒチャンネルを有するステレオマイク２Ｌ、２Ｒは、入力された音響信号を、電気信号（以下、アナログオーディオ信号という）Ｓ１Ｌ、Ｓ１Ｒに変換する。
オーディオ信号処理回路１００は、ひとつの半導体チップ上に集積化された機能ＩＣ（Integrated Circuit）であり、ＣＯＤＥＣ（COder/DECoder）回路と称される。オーディオ信号処理回路１００は、マイク２Ｌ、２Ｒからのアナログオーディオ信号Ｓ１Ｌ、Ｓ１Ｒを受け、それらをデジタルオーディオ信号に変換して所定の信号処理を施し、メモリ８に格納可能なデータ形式に変換する。また、オーディオ信号処理回路１００は、メモリ８に格納された所定のフォーマットのデジタルオーディオ信号を読み出し、それをデコードし、アナログオーディオ信号Ｓ２０に変換して、スピーカ４へと出力する。
【００２１】
マイコン６は、電子機器１全体を統合的に制御するホストプロセッサであり、オーディオ信号処理回路１００をはじめとするさまざまなブロックを制御する。
【００２２】
以上が電子機器１の全体の構成である。続いて、オーディオ信号処理回路１００の具体的な構成を説明する。
【００２３】
オーディオ信号処理回路１００は、Ａ／Ｄコンバータ１０Ｌ、１０Ｒ、Ｄ／Ａコンバータ１２、デジタル信号処理部２０、インタフェース回路１４を備える。
【００２４】
Ａ／Ｄコンバータ１０Ｌ、１０Ｒはそれぞれ、マイク２Ｌ、２ＲからのＬチャンネルとＲチャンネルのアナログオーディオ信号Ｓ１Ｌ、Ｓ１Ｒを受け、それらをＬチャンネル、Ｒチャンネルのデジタルオーディオ信号Ｓ２Ｌ、Ｓ２Ｒに変換し、デジタル信号処理部２０へと出力する。またＤ／Ａコンバータ１２は、デジタル信号処理部２０からのデジタルオーディオ信号Ｓ２１を受け、それをアナログオーディオ信号Ｓ２０に変換する。以下、ＬチャンネルおよびＲチャンネルを区別する必要が無い場合には、適宜添え字Ｌ、Ｒを省略する。
【００２５】
インタフェース回路１４は、マイコン６をはじめとする外部回路とバス７を介して接続され、外部回路との間で、制御信号やデジタルオーディオ信号を送受信する。
【００２６】
デジタル信号処理部２０は、Ａ／Ｄコンバータ１０からのデジタルオーディオ信号Ｓ２を受け、所定の信号処理を施し、メモリ８に格納可能なフォーマットにエンコードする。また、デジタル信号処理部２０は、メモリ８から読み出されたデジタルオーディオ信号を受け、それをデコードし、Ｄ／Ａコンバータ１２へと出力する。デジタル信号処理部２０は、ピーク検出回路２２、ボリウム回路２４、フィルタ２６、Ｌ／Ｒ差分演算器２８、エンコーダ３０、デコーダ３２を備える。
【００２７】
ピーク検出回路２２は、Ｌチャンネル、Ｒチャンネルのデジタルオーディオ信号Ｓ２Ｌ、Ｓ２Ｒそれぞれのピーク値を検出する。ボリウム回路２４は、Ｌチャンネル、Ｒチャンネルのデジタルオーディオ信号Ｓ２Ｌ、Ｓ２Ｒそれぞれに、調節可能な利得を乗ずる。フィルタ２６は、Ｌチャンネル、Ｒチャンネルのデジタルオーディオ信号Ｓ２Ｌ、Ｓ２Ｒそれぞれをフィルタリングする。Ｌ／Ｒ差分演算器２８は、Ｌチャンネルのデジタルオーディオ信号Ｓ２ＬとＲチャンネルのデジタルオーディオ信号Ｓ２Ｒの差分を演算する。ＬチャンネルとＲチャンネルの位相差や音量差は、様々な演算処理に利用される。
【００２８】
エンコーダ３０は、Ｌチャンネル、Ｒチャンネルのデジタルオーディオ信号Ｓ２Ｌ、Ｓ２Ｒそれぞれを、メモリ８に格納可能な形式にエンコードする。デコーダ３２は、メモリ８からのデジタルオーディオ信号Ｓ２Ｌ、Ｓ２Ｒをデコードする。
【００２９】
ピーク検出回路２２、ボリウム回路２４、フィルタ２６、Ｌ／Ｒ差分演算器２８は、それぞれのオン（アクティブ）、オフ（非アクティブ）状態や、パラメータが独立に設定可能となっており、また、それらの演算処理の順序も切りかえ可能に構成される。制御部４０は、ピーク検出回路２２、ボリウム回路２４、フィルタ２６、Ｌ／Ｒ差分演算器２８の状態を制御する。
【００３０】
したがってＡ／Ｄコンバータ１０からのデジタルオーディオ信号Ｓ２は、ピーク検出回路２２、ボリウム回路２４、フィルタ２６、Ｌ／Ｒ差分演算器２８の任意の組み合わせを経て、エンコーダ３０へと供給される。デコーダ３２によりデコードされたデジタルオーディオもまた、ピーク検出回路２２、ボリウム回路２４、フィルタ２６、Ｌ／Ｒ差分演算器２８の任意の組み合わせを経て、Ｄ／Ａコンバータ１２へと供給される。
【００３１】
電子機器１の通常の使用時（後述の通常モード）において、ボリウム回路２４はアクティブとなり、Ａ／Ｄコンバータ１０からエンコーダ３０へ至る経路上に配置される。Ｌ／Ｒ差分演算器２８がアクティブとされる場合、ボリウム回路２４は、Ｌ／Ｒ差分演算器２８より前段に配置されることが好ましい。Ｌ／Ｒ差分演算器２８が利用されない場合は、ボリウム回路２４の位置は特に限定されないが、汎用性を考慮すると、ボリウム回路２４はＡ／Ｄコンバータ１０の直後に配置しておくことが望ましい。
【００３２】
以上がオーディオ信号処理回路１００の基本構成である。オーディオ信号処理回路１００は、それ自身がマイク２Ｌ、２Ｒのばらつきを測定し、そのばらつきを補正するキャリブレーション機能を備える。以下、このキャリブレーション機能に関する説明をする。オーディオ信号処理回路１００は、マイク２のキャリブレーション時には、キャリブレーションモードに設定され、通常の信号処理時には、通常モードに設定される。
【００３３】
図２は、キャリブレーションモードにおけるオーディオ信号処理回路１００の構成を示すブロック図である。
【００３４】
インタフェース回路１４は、マイコン６からキャリブレーションモードを指示する制御信号を受ける。この制御信号に応じて制御部４０は、デジタル信号処理部２０内の信号処理ブロックの配置を変更する。具体的には制御部４０は、キャリブレーションモードが指示されると、フィルタ２６およびピーク検出回路２２を、Ａ／Ｄコンバータ１０から出力されるデジタルオーディオ信号Ｓ２の経路上に、順に直列に配置する。
【００３５】
制御部４０は、（１）マイク２に所定の音量のオーディオ信号を入力した状態で、フィルタ２６およびピーク検出回路２２をアクティブとし、ＬチャンネルおよびＲチャンネルのデジタルオーディオ信号Ｓ２のピーク値Ｓ３Ｌを取得する。
【００３６】
電子機器１の設計者は、マイク２の感度の公称値、Ａ／Ｄコンバータ１０、フィルタ２６の性能を知っており、また、キャリブレーション工程においてマイク２に入力される音量を知っている。したがってキャリブレーション工程において、マイク２に所定の音量のオーディオ信号を入力したときに、ピーク検出回路２２により取得されるピーク値の期待値を計算することができる。マイコン６は、この期待値に対応する基準値ＲＥＦを、オーディオ信号処理回路１００に送信する。
【００３７】
そして制御部４０は、（２）Ｌチャンネルのピーク値Ｓ３Ｌと所定の基準値ＲＥＦとの差分ΔＬ＝（Ｓ３Ｌ−ＲＥＦ）に応じて、通常モードにおいてボリウム回路２４Ｌに設定すべきＬチャンネルの利得Ｇ１Ｌを計算する。同様に、Ｒチャンネルのピーク値Ｓ３Ｒと基準値ＲＥＦとの差分ΔＲ＝（Ｓ３Ｒ−ＲＥＦ）に応じて、通常モードにおいてボリウム回路２４Ｒに設定すべきＲチャンネルの利得Ｇ１Ｒを計算する。
【００３８】
上述のように、制御部４０は、通常モードにおいてボリウム回路２４に設定すべき利得Ｇ１Ｒ、Ｇ１Ｌを、インタフェース回路１４を介してマイコン６に送信する。マイコン６は、図示しない不揮発性メモリに、利得Ｇ１Ｒ、Ｇ１Ｌの値を格納する。
【００３９】
以上がキャリブレーション処理に関する説明である。続いて、図１の電子機器１の動作を説明する。
【００４０】
電子機器１のアセンブルが完了すると、電子機器１の製造者は、マイク２Ｌ、２Ｒのキャリブレーションを行う。
キャリブレーションは以下のようにして実行される。まず、マイコン６からオーディオ信号処理回路１００に対して、キャリブレーションモードを指示する制御信号が出力される。これを受けて制御部４０は、図２に示すようにデジタル信号処理部２０の構成を変更する。またマイコン６は、オーディオ信号処理回路１００に対して、ピーク値Ｓ３Ｌ、Ｓ３Ｒの期待値を示す基準値ＲＥＦを出力する。
【００４１】
この状態で、電子機器１の外部のスピーカから、マイク２Ｌ、２Ｒに対して所定の音量のオーディオ信号を出力する。これにより、ピーク検出回路２２によって、マイク２Ｌにより取得されたオーディオ信号のピーク値Ｓ３Ｌと、２Ｒによって取得されたオーディオ信号のピーク値Ｓ３Ｒが生成される。
【００４２】
マイク２Ｌ、２Ｒの感度が公称値と一致していれば、ピーク値Ｓ３Ｌと基準値ＲＥＦの差、ピーク値Ｓ３Ｒと基準値ＲＥＦの差はそれぞれゼロとなる。一方、マイク２Ｌ、２Ｒの感度が、公称値に対してばらついていると、ピーク値Ｓ３Ｌと基準値ＲＥＦの差分ΔＬ、ピーク値Ｓ３Ｒと基準値ＲＥＦの差分ΔＲは、非ゼロとなる。制御部４０は、Ｌチャンネル、Ｒチャンネルそれぞれの差分ΔＬ、ΔＲにもとづき、通常モードにおけるボリウム回路２４の利得Ｇ１Ｌ、Ｇ１Ｒを計算し、それをマイコン６に送信する。利得Ｇ１Ｌ、Ｇ１Ｒは、図示しない不揮発性メモリに格納される。
【００４３】
以上でキャリブレーション工程は終了である。
続いて、電子機器１の出荷後の動作を説明する。電子機器１の電源が投入されると、マイコン６は、オーディオ信号処理回路１００に対して、通常モードを指示する制御信号を出力する。また、マイコン６は図示しない不揮発性メモリから利得Ｇ１Ｌ、Ｇ１Ｒを読み出し、オーディオ信号処理回路１００へと送信する。
【００４４】
オーディオ信号処理回路１００は、通常モードが指示されると、デジタル信号処理部２０内のブロックを、実行すべき信号処理の内容に応じた順序で配置する。この際に、ボリウム回路２４は、デジタルオーディオ信号Ｓ２Ｌ、Ｓ２Ｒの経路上に配置され、それらの利得は、マイコン６から受信した利得Ｇ１Ｌ、Ｇ１Ｒに設定される。
【００４５】
これにより、通常モードにおいては、ボリウム回路２４から出力されるデジタルオーディオ信号のレベルは、マイク２Ｌ、２Ｒの感度のばらつきがキャンセルされたものとなる。
【００４６】
以上のように、オーディオ信号処理回路１００によれば、キャリブレーション工程により、マイク２Ｌ、２Ｒの感度を補正し、ＬチャンネルとＲチャンネルの特性を揃えることができる。その結果、自然なステレオ感でオーディオ信号を録音することができる。
【００４７】
一般に、感度のばらつきの小さなマイクは、ばらつきの大きなマイクよりも高価である。オーディオ信号処理回路１００を用いれば、感度ばらつきの大きな安価なマイクを使用できるため、オーディオ信号処理回路１００のコストを下げることができる。
【００４８】
実施の形態に係るオーディオ信号処理回路１００は、キャリブレーションモードにおいて、ピーク検出回路２２の前段にフィルタ２６を挿入するようにしている。キャリブレーション時にマイク２Ｌ、２Ｒに入力するオーディオ信号の周波数と、フィルタ２６の通過帯域を一致させることにより、それ以外の帯域の影響を排除することができ、より高精度なキャリブレーションが実現できる。この場合、オーディオ信号は、単一スペクトルとしてもよい。
【００４９】
以上、本発明について、実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００５０】
図３は、キャリブレーションモードにおけるオーディオ信号処理回路の別の構成を示すブロック図である。
【００５１】
オーディオ信号処理回路１００ａの制御部４０ａは、キャリブレーションモードにおいて、Ｌチャンネルのピーク値Ｓ３ＬとＲチャンネルのピーク値Ｓ３Ｒの差分ΔＬＲを算出する。差分の算出には、図１のＬ／Ｒ差分演算器２８を利用してもよい。そして制御部４０ａは、差分ΔＬＲに応じて、通常モードにおいてボリウム回路２４に設定すべきＬチャンネル、Ｒチャンネルそれぞれの利得Ｇ１Ｌ、Ｇ１Ｒを計算する。
【００５２】
図２の構成では、マイク２Ｌ、２Ｒを、基準値ＲＥＦに対して絶対的にキャリブレーションしていた。これに対して、図３の変形例では、２つのマイク２Ｌ、２Ｒを相対的にキャリブレーションできる。相対的なキャリブレーションは、ＬチャンネルとＲチャンネルの同相ノイズの影響を排除することができるという利点がある。
【００５３】
さらに別の変形例では、キャリブレーションモードにおいて、図２のデジタル信号処理部２０の構成と、図３のデジタル信号処理部２０の構成が、マイコン６からの制御信号に応じて切りかえ可能とすることが望ましい。
【００５４】
ノイズ等の影響が問題とならない場合、キャリブレーションモードにおいてフィルタ２６を非アクティブとしてもよい。
【００５５】
実施の形態にもとづき、本発明を説明したが、実施の形態は、本発明の原理、応用を示しているにすぎず、実施の形態には、請求の範囲に規定された本発明の思想を離脱しない範囲において、多くの変形例や配置の変更が可能である。
【符号の説明】
【００５６】
１…電子機器、２…マイク、４…スピーカ、６…マイコン、８…メモリ、１００…オーディオ信号処理回路、１０…Ａ／Ｄコンバータ、１２…Ｄ／Ａコンバータ、１４…インタフェース回路、２０…デジタル信号処理部、２２…ピーク検出回路、２４…ボリウム回路、２６…フィルタ、２８…Ｌ／Ｒ差分演算器、３０…エンコーダ、３２…デコーダ、４０…制御部。
【図１】
0005877013.tif 000002
【図２】
0005877013.tif 000003
【図３】
0005877013.tif 000004